(57)【要約】【課題】ワンポイントでありながら充分な印象が得られ、壁面を表情豊かに装飾することができる壁化粧飾り構造を提供する。【解決手段】  装飾面に、少なくとも装飾面を貫通する装飾模様が穿孔されるとともに、この装飾面の裏面には壁面３に取り付けるための取付部１１が突出されてなる装飾材１と、装飾材１の取付部１１に対応する脚部２２が、壁面３に当接可能な当接枠２１から延設されてなる枠体２とからなり、壁面３に枠体２を介して装飾材１が設けられ、脚部２２および取付部１１の合計の長さぶんだけ壁面３から離れた位置に装飾材１が取り付けられてなる壁化粧飾り構造である。【選択図】  図１
2007277887.tif 000002
【特許請求の範囲】
【請求項１】
装飾面に、少なくとも装飾面を貫通する装飾模様が穿孔されるとともに、この装飾面の裏面には壁面に取り付けるための取付部が突設されてなる装飾材と、
装飾材の取付部に対応する脚部が、壁面に当接可能な当接枠から突設されてなる枠体とからなり、
壁面に枠体を介して装飾材が設けられ、脚部および取付部の長さぶんだけ壁面から離れた位置に装飾材が取り付けられてなることを特徴とする壁化粧飾り構造。
【請求項２】
壁面と装飾材との間の枠体内に、照明装置が設けられてなる請求項１記載の壁化粧飾り構造。
【請求項３】
請求項１または２記載の壁化粧飾り構造の壁面に併設して、この壁化粧飾り構造と同じ装飾材のみが壁面または窓に固定され、装飾材の装飾模様が壁面のモチーフとして強調されてなる壁化粧飾り構造。
【発明の詳細な説明】
【技術分野】
【０００１】
本発明は、壁面に設けることにより、これら壁面を装飾する壁化粧飾り構造に関するものである。
【背景技術】
【０００２】
一般に、住宅建物は、装飾模様が形成された外壁材を施工することで、外観が装飾されている。
【０００３】
しかし、この場合、外壁材の表面に形成された装飾模様のみによる装飾だけなので、外観にアクセントがない。
【０００４】
そこで、従来より、外壁の外観に特徴を与えるものとして、壁の切り替えし部分や窓周りなどの外壁表面に外壁材とは別の装飾材を設けたりすることが行われている（例えば、特許文献１参照。）。
【特許文献１】特開平１１−２４１４７８号公報
【発明の開示】
【発明が解決しようとする課題】
【０００５】
しかし、上記従来のように外壁材の表面に取り付ける装飾材の場合、外壁材と一体化する範囲で形成されており、装飾材だけが際立って特徴になるような装飾の仕方では無かった。
【０００６】
そこで、本発明者らは、外壁の一部に設けることで、際立って特徴となるような装飾材として、外壁とは異なる鋼材によって形成した化粧飾りを提案した。
【０００７】
そして、この装飾材を有効に機能させる取付構造として、枠体を利用して壁面から離して装飾材を取り付けることで、局部的でありながら充分な印象が得られ、壁面を表情豊かに装飾することができる壁化粧飾り構造を見出した。
【課題を解決するための手段】
【０００８】
上記課題を解決するための本発明の壁化粧飾り構造は、装飾面に、少なくとも装飾面を貫通する装飾模様が穿孔されるとともに、この装飾面の裏面には壁面に取り付けるための取付部が突設されてなる装飾材と、装飾材の取付部に対応する脚部が、壁面に当接可能な当接枠から突設されてなる枠体とからなり、壁面に枠体を介して装飾材が設けられ、脚部および取付部の長さぶんだけ壁面から離れた位置に装飾材が取り付けられてなるものである。
【０００９】
また、上記壁化粧飾り構造において、壁面と装飾材との間の枠体内に、照明装置が設けられてなるものである。
【００１０】
さらに、上記壁化粧飾り構造の壁面に併設して、この壁化粧飾り構造と同じ装飾材のみが壁面または窓に固定され、装飾材の装飾模様が壁面のモチーフとして強調されてなるものである。
【発明の効果】
【００１１】
以上述べたように、本発明によると、壁面から脚部および取付部の長さぶんだけ離れた位置に装飾材を取り付けることができる。しかも、装飾材は、少なくとも装飾面を貫通する装飾模様を穿孔して形成しているため、どれだけ突設されているのか貫通された孔の部分を通して奥行き感が強調されることとなる。したがって、局部的な装飾でありながら充分に立体感のある印象が得られ、壁面を表情豊かに装飾することができる。
【００１２】
また、この装飾材と壁面との間の枠体内に照明装置を設けておけば、夜間でも、装飾材の装飾模様を浮かび上がらせて壁面を表情豊かに装飾することができる。
【００１３】
さらに、上記壁化粧飾り構造の壁面に併設して、この壁化粧飾り構造と同じ装飾材のみを壁面または窓に固定すれば、装飾材のみを固定した箇所は装飾材が壁面に近く、上記壁化粧飾り構造の箇所では装飾材が壁面から離れた位置にあり、同じ装飾材の壁面からの突出具合に差が生じるので、装飾材の装飾模様を壁面のモチーフとして立体的に強調することができる。
【発明を実施するための最良の形態】
【００１４】
以下、本発明の実施の形態を図面を参照して説明する。
【００１５】
図１、図２は、壁化粧飾り構造の全体構成の概略を示し、図３は同壁化粧飾り構造の要部断面構成を示している。
【００１６】
すなわち、この壁化粧飾り構造は、装飾材１と、枠体２とからなり、壁面３に枠体２を介して装飾材１が取り付けられている。
【００１７】
装飾材１は、アルミニウムの鋳物からなり、一辺が約２０ｃｍ、厚さ約５．５ｍｍの略正方形状に形成された装飾面には、裏面に貫通する装飾模様が形成されている。装飾模様は二つの花と破れ井げたとを組み合わせたような模様となっている。一つの花は輪郭以外が貫通し、他方の花は表面が凹設されて花びら全体が板状のまま残るような形状に形成されている。また、装飾面の四隅の裏面からは、基端直径約１７ｍｍ、先端直径約１５ｍｍ、高さ２０ｍｍの略円錐柱状の取付脚部１１が突設されている。この取付脚部１１内には連結ボルト孔１０が穿孔されており、連結ボルト孔１０内には、連結ボルト４の頭４１が係止される段部１２が形成されている。また、取付脚部１１の突設先端部にも、後述する枠体２の脚部２２の突出先端部が嵌まり込む段部１３が形成されている。
【００１８】
枠体２は、アルミニウムの鋳物からなり、一辺が約２０ｃｍ、幅約１５ｍｍ、厚さ約５ｍｍの略正方形状に枠組みされた当接枠２１の四隅から、基端直径約１７ｍｍ、先端直径約１２ｍｍ、高さ約７１ｍｍの略円錐柱状の脚部２２が突設されて形成されている。この脚部２２の先端部内には連結ボルト孔２０が穿孔されている。また、当接枠２１の各辺の中心には、枠体２を壁面３に固定ボルト５で固定するための固定ボルト孔２３が設けられている。
【００１９】
次に、壁化粧飾り構造の施工手順について説明する。
【００２０】
まず、壁面３の所望の位置に、枠体２を当接し、固定ボルト孔２３から固定ボルト５をねじ込んで壁面３に枠体２を固定する。
【００２１】
次に、この枠体２の脚部２２の先端部を装飾材１の段部１３に嵌め込むようにして、脚部２２上に装飾材１を設ける。そして、装飾材１の連結ボルト孔１０から枠体２の脚部２２の連結ボルト孔２０へと連結ボルト４をねじ込んで装飾材１と枠体２とを固定一体化する。
【００２２】
このようにして構成された壁化粧飾り構造によると、装飾材１は、壁面３から脚部２２と取付脚部１１との合計の長さぶんだけ離れることとなるので、壁面３との一体感が薄れる。また、装飾材１は、少なくとも装飾面を貫通する装飾模様を穿孔して形成しているため、どれだけ突設されているのか貫通された孔の部分を通して奥行き感が強調されることとなる。したがって、広範な壁面３においても、局部的な装飾でありながら充分に存在感を強調することができる装飾体となる。
【００２３】
また、この装飾材１と壁面３との間の枠体２内に照明装置６を設けておけば、夜間でも、装飾材１の装飾模様を浮かび上がらせて壁面３を表情豊かに装飾することができる。
【００２４】
なお、本実施の形態において、装飾材１は、枠体２を介して壁面３に設けているが、このような壁化粧飾り構造を、２個以上設けて壁面３を装飾するようにしてもよい。この場合、装飾材１の装飾模様を壁面３に連続することで、装飾模様の印象をより強調することができる。また、図２に示すように、枠体２を介して壁面３に設ける装飾材１と、枠体２を介さずに直接壁面３に設ける装飾材１とを併用してもよい。この枠体２の有無により、装飾材１の突出具合に差が出来るので、壁面３をより立体的に表情豊かにすることができる。その結果、装飾材１の装飾模様の印象を強調することができるとともに、この装飾模様を壁面３のモチーフとして、より立体的に強調することができる。
【００２５】
また、この壁化粧飾り構造の場合、装飾材１は、壁面３から脚部２２と取付脚部１１との合計の長さぶんだけ離れることとなるので、上記したような照明装置６を設けること以外に、壁面３から突出された外部コンセント、水栓、換気口、などを隠す構造として利用することもできる。
【００２６】
例えば、外部コンセントや水栓の場合、壁面３から突出すると目立つので、人間の腰の高さよりも低い位置、好ましくはヒザ下ぐらいの高さの位置に設けられているのが常である。したがって、これらを壁面３の高い位置に一つだけ設けるといったことは壁面３の外観を害することとなるが、本発明の壁化粧飾り構造によってこれら外部コンセントや水栓を隠すようにすれば、今まで設けることが困難であった比較的高い位置にも、これらを設けることができる。そして、装飾材１の装飾模様により、局部的な装飾でありながら充分立体感のある印象が得られ、壁面３を表情豊かに装飾することができる。また、枠体２によって装飾材１と壁面３との間に距離があるため、間隙から手を入れて外部コンセントや水栓を使用することができる。
【００２７】
また、最近の住宅建物は、気密性が向上しているため、室内におけるドアの開け閉めが気密性のために困難になる場合がある。そのため、屋外との間で自然換気ができるように換気口が設けられている。この換気口も、上記外部コンセントや水栓と同様に人の腰の位置よりも低い位置に設けられていることが常である。しかし、室内において、このような低い位置は、サイドテーブルやソファなどの家具が置かれて塞がっている場合が多く、充分に換気口が機能しない。屋外側も同様でこのような換気口が人の目の高さに近い位置に一つだけあると壁面３の美観を損ねることとなる。そこで、本発明の壁化粧飾り構造を外壁および内壁の双方に施してこの換気口を隠すようにすれば、今まで設けることが困難であった比較的高い位置にも、換気口を設けることができる。そしてこの場合も、装飾材１の装飾模様により、局部的な装飾でありながら充分立体感のある印象が得られ、壁面３を表情豊かに装飾することができる。また、枠体２によって装飾材１と壁面３との間に距離があるため、間隙から手を入れて換気口の開閉具合を調整したりすることができる。
【００２８】
図４および図５は本発明の壁化粧飾り構造に用いている装飾材１のみを窓７の室内側に設けている。窓７の上下枠の両側の隅部には、室内の壁面３よもり室内側に突出して取付脚部１１を当接することができるように先端が屈曲された取付金具８がビス８２で取り付けられている。そし、この取付金具８の先端の屈曲部８１に取付脚部１１を当接して装飾材１が窓７を塞ぐように設けられている。この場合、装飾材１は、室内の装飾にもなり、かつ、同じ室内または室外に、図１に示す壁化粧飾り構造を設けた場合には、各装飾材１の装飾模様が連動し、この装飾模様を室内外を含めた建物全体のモチーフとして強調することができる。
【００２９】
なお、本実施の形態において、装飾材１の装飾模様は、花と破れ井げたとを組み合わせたような模様となっているが、特にこのような装飾模様に限定されるものではなく、例えば、図６に示すような模様の装飾材１であってもよい。また、装飾材１は、略正方形状となされ、その四隅から取付脚部１１が突設されたもとなされているが、この装飾材１の形状としては、特に正方形状に限定されるものではなく、ひし形、長方形、三角形、五角形以上の多角形、円形、楕円形などの各種形状であってもよい。また、取付脚部１１の数も、１〜３本または５本以上であってもよい。
【００３０】
また、本実施の形態において、装飾材１および枠体２は、アルミニウムの鋳物で形成されているが、その他の金属の鋳物であっても良いし、各種金属の溶接で構成されたものであっても良し、コンクリートや樹脂などの成形品であってもよい。ただし、壁面３のアクセントとして強調することを考えれば、装飾材１および枠体２は、壁面３を構成する素材または色と、異なるものであることが好ましい。
【産業上の利用可能性】
【００３１】
住宅建物における壁の装飾に利用できる。
【図面の簡単な説明】
【００３２】
【図１】本発明に係る壁化粧飾り構造の全体構成の概略を示す斜視図である。
【図２】本発明に係る壁化粧飾り構造を利用した壁面の全体構成の概略を示す斜視図である。
【図３】（ａ）および（ｂ）は、図２におけるI-I 線断面図およびII-II 線断面図である。
【図４】本発明の壁化粧飾り構造に使用している装飾材のみを施工した他の実施の形態を示す斜視図である。
【図５】（ａ）は、図４におけるIII-III 線断面図、（ｂ）は（ａ）におけるIV-IV 線断面図である。
【図６】装飾材の装飾模様の他の実施の形態を示す正面図である。
【符号の説明】
【００３３】
１  装飾材
１１  取付脚部（取付部）
２  枠体
２１  当接枠
２２  脚部
３  壁面
６  照明装置
７  窓
【図１】
2007277887.tif 000003
【図２】
2007277887.tif 000004
【図３】
2007277887.tif 000005
【図４】
2007277887.tif 000006
【図５】
2007277887.tif 000007
【図６】
2007277887.tif 000008